(57)【要約】【課題】  脱穀機の小型化及び低重心化を実現できる二番還元装置を提供する。【解決手段】脱穀機は、選別装置の下方に配置される唐箕ファンと、唐箕ファンから選別装置の搬送方向下流側に行くに従って順に配置される一番コンベアと、セカンドファン５５と、二番コンベア２４と、を備える。そして、脱穀機の二番還元装置は、セカンドファン５５と同軸状に二番処理装置４４を備え、この二番処理装置４４は二番コンベア２４の終端部から処理物を受け入れるための連通路４１を備える。また、二番処理装置４４は、二番処理装置４４で処理された処理物を選別装置へ還元するための還元コンベア２２を備える。この還元コンベア２２は、その中心軸線が前記二番コンベア２４の中心軸線と直交するように設けられる。【選択図】図６
2009112274.tif 000002
【特許請求の範囲】
【請求項１】
選別装置によって選別された二番物を前記選別装置に還元搬送する脱穀機の二番還元装置において、
前記脱穀機は、前記選別装置の下方に配置される唐箕ファンと、前記唐箕ファンから前記選別装置の搬送方向下流側に行くに従って順に配置される一番コンベアと、セカンドファンと、二番コンベアと、を備え、
前記セカンドファンと同軸状に二番処理装置を備えることを特徴とする脱穀機の二番還元装置。
【請求項２】
請求項１に記載の脱穀機の二番還元装置であって、
前記二番処理装置は、前記二番コンベアの終端部から二番物を受け入れるための連通路を備えることを特徴とする脱穀機の二番還元装置。
【請求項３】
請求項２に記載の脱穀機の二番還元装置であって、
前記二番処理装置で処理された処理物を選別装置へ還元するための還元コンベアを備えることを特徴とする脱穀機の二番還元装置。
【請求項４】
請求項３に記載の脱穀機の二番還元装置であって、
前記還元コンベアは、その中心軸線が前記二番コンベアの中心軸線と直交するように設けられることを特徴とする脱穀機の二番還元装置。
【請求項５】
請求項１から４までの何れか一項に記載の脱穀の二番還元装置であって、
前記二番処理装置は前記脱穀機の機枠側板の内外に跨って設けられることを特徴とする脱穀機の二番還元装置。
【発明の詳細な説明】
【技術分野】
【０００１】
本発明は、脱穀機が備える二番物を還元するための二番還元装置に関するものであり、詳細には二番処理装置の構成に関するものである。
【背景技術】
【０００２】
従来から、脱穀後の処理物である籾及び藁屑等を選別装置によって一番物と二番物とに選別した後、一番物を穀物タンクに貯溜する一方、二番物については二番物還元装置により選別装置に再び送って再選別する構成のコンバインが知られている。このような構成のコンバインの二番還元装置では、二番物を選別装置に還元する前に枝梗の除去処理を行う二番処理装置を備える構成をとることがある。
【０００３】
このような脱穀機で用いられる選別装置は、揺動選別装置と風選別装置を備える構成のものが一般的である。揺動選別装置は扱胴の下方に配置され、扱胴から漏下する処理物を後方に送りながら比重選別を行う。風選別装置は唐箕を備えており、前記揺動選別装置から落下する穀粒や藁屑等に風を当てることで風選別を行う。また、唐箕による選別風の風力が弱まる選別装置の後部にセカンドファンを設け、このセカンドファンによって予備選別風を送風することにより、風選別性能を向上させた構成の風選別装置も知られている。
【０００４】
特許文献１は、風選別装置にセカンドファンを備えるとともに二番還元装置に二番処理装置を備える構成の脱穀機を開示する。この特許文献１の脱穀機において、選別部の揺動本体下方の選別樋には、前から順に、選別風を送風する唐箕と、揺動本体から漏下する一番物を穀粒タンクに搬送する一番コンベアと、二番物を還元コンベアを介して脱穀部の前部に還元搬送する二番コンベアとを横設し、該二番コンベアと前記一番コンベアとの間にはセカンドファンを設ける構成となっている。二番コンベアの端部には還元コンベアが連結されており、該還元コンベアの前方側の端部は二番処理装置としての枝梗処理装置に連設されている。この構成で、前記還元コンベアにより揚穀された二番物は、枝梗処理装置へ投入された後、処理後の二番物は揺動選別装置の選別開始部に落下するように排出される。
【特許文献１】特許第３８５４８６１号公報
【発明の開示】
【発明が解決しようとする課題】
【０００５】
特許文献１の構成は、二番処理装置（枝梗処理装置）が還元コンベアの搬送方向終端部でかつ脱穀機内の高い位置に配置されているため、二番還元装置のコンパクト化が困難で、また脱穀機の重心が高くなってしまっていた。従って、脱穀機の小型化、コンバインの機体バランス等の観点から改善の余地があった。
【０００６】
本発明は以上の事情に鑑みてされたものであり、その目的は、脱穀機の小型化及び低重心化を実現できる二番還元装置を提供することである。
【課題を解決するための手段及び効果】
【０００７】
本発明の解決しようとする課題は以上の如くであり、次にこの課題を解決するための手段とその効果を説明する。
【０００８】
本発明の第１の観点によれば、選別装置によって選別された二番物を前記選別装置に還元搬送する脱穀機の二番還元装置において、以下の構成が提供される。即ち、前記脱穀機は、前記選別装置の下方に配置される唐箕ファンと、前記唐箕ファンから前記選別装置の搬送方向下流側に行くに従って順に配置される一番コンベアと、セカンドファンと、二番コンベアと、を備える。そして、前記二番還元装置は、前記セカンドファンと同軸状に二番処理装置を備える。
【０００９】
これによれば、小さいスペースにセカンドファンと二番処理装置をまとめて配置できるので、脱穀機のコンパクト化が容易になる。また、セカンドファンと二番処理装置との間で簡易な構成により駆動を伝達できる。更に、二番処理装置が脱穀機の下部に配置されるレイアウトとなるので、脱穀機の低重心化を実現できる。
【００１０】
前記の脱穀機の二番還元装置においては、前記二番処理装置が、前記二番コンベアの終端部から二番物を受け入れるための連通路を備えることが好ましい。
【００１１】
これによれば、二番コンベアの終端部から二番処理装置に二番物を受け渡す構成を簡素化できる。
【００１２】
前記の脱穀機の二番還元装置においては、前記二番処理装置で処理された処理物を選別装置へ還元するための還元コンベアを備えることが好ましい。
【００１３】
これによれば、二番処理装置で処理された処理物を選別装置まで確実に還元することができる。
【００１４】
前記の脱穀機の二番還元装置においては、前記還元コンベアは、その中心軸線が前記二番コンベアと直交するように設けられることが好ましい。
【００１５】
これによれば、二番コンベアと還元コンベアとの間の動力伝達を、例えばベベルギアを用いて簡単に実現することができる。
【００１６】
前記の脱穀機の二番還元装置においては、前記二番処理装置は前記脱穀機の機枠側板の内外に跨って設けられることが好ましい。
【００１７】
このように二番処理装置の一部を機外に出るように配置することで、二番処理装置の処理能力を維持しながらセカンドファンの配置スペースを大きく確保することができる。
【発明を実施するための最良の形態】
【００１８】
以下、本発明の好適な実施形態について図面を参照しながら説明する。図１は本発明の一実施形態に係るコンバインの側面図、図２はコンバインの平面図である。なお、以下の説明では、単に「左側」「右側」等というときは、コンバインの前進する方向に向かって左側及び右側を意味するものとする。
【００１９】
図１に示すように、本実施形態のコンバイン１０は、稲、麦等の株元を刈り取るための刈取部１２を機体前部に備え、進行部としてのクローラ部１１を機体下部に備えて構成されている。そして図２に示すように、コンバイン１０の左側の上部には、刈り取った穀稈を脱穀するための脱穀機１４が備えられる。また、この脱穀機１４と並設するように、グレンタンク１５がコンバイン１０の上部右側に備えられている。
【００２０】
グレンタンク１５の前方には、コンバイン１０を操作するための運転部１７が配置されている。この運転部１７には運転操作部５２及び運転座席５３等が設けられており、この運転操作部５２を操作することによって刈取や走行等、コンバイン１０の各種の操作を行うように構成されている。前記運転部１７の下方には、コンバイン１０の駆動源としてのエンジン１８が配置されている。
【００２１】
図１に示すクローラ部１１はコンバイン１０の左右両側に配置されており、このクローラ部１１が駆動することでコンバイン１０を走行させるように構成されている。そして、この左右のクローラ部１１を後述の走行ミッション装置によって制御することで、コンバイン１０の走行方向及び速度の調節が可能になっている。
【００２２】
刈取部１２は、前処理部２５と、刈刃部１３と、掻込装置４７と、図略の搬送部と、を備えている。前処理部２５はコンバイン１０の機体の前方下部に配置され、分草板４５と、引起し装置４６とによって構成されている。引起し装置４６は図略のタインを備えており、倒伏した作物を拾い上げたり、穂先を一定の幅に収束させたりする引起し作業を行う。分草板４５は、刈り取るべき幅を規定するためのものであり、また、倒伏した状態の稲等を当該分草板４５がすくい上げることによって、引起し装置４６による前記引起し作業を容易にする。
【００２３】
刈刃部１３は刈刃と受刃とを備えており、両者が左右に駆動されることによって作物の株元を切り取る。また、掻込装置４７は刈刃部１３の上方に配置されており、この掻込装置４７は、刈刃部１３によって切断された穀稈を掻き込み、図略の搬送部に受け渡す。この搬送部は搬送チェーン及び縦搬送チェーン等を備えており、後述の脱穀機１４のフィードチェーン１６に作物の株元を搬送するよう構成されている。
【００２４】
脱穀機１４はフィードチェーン１６を備え、このフィードチェーン１６によって穀稈を挟持しながら搬送して脱穀するよう構成されている。穀稈の脱穀後、穀粒が藁屑より選別分離されて、精粒は一番物として前記グレンタンク１５に貯溜される。藁屑は、コンバイン１０後部に備えられる排藁カッター４８によって適宜の長さに切り刻まれ、機外へ排出される。
【００２５】
次に図３、図４を参照して脱穀機１４について説明する。図３は脱穀機１４の構成を示す側面図である。図４は脱穀機の平面図である。
【００２６】
脱穀機１４は穀稈脱穀用の扱胴３０を備え、この扱胴３０は脱穀機１４内の前部上方に設置されている。扱胴３０は、その先端部が面取りされた円筒形状に構成されており、その中心軸を前記フィードチェーン１６の搬送方向に略沿わせるように向けて配置されている。
【００２７】
扱胴３０の外周には複数の扱歯８１が植設されている。また、扱胴３０の下方位置には粗選別を行うためのクリンプ網３４が備えられる。このクリンプ網３４は、扱胴３０の下部を覆うように円弧面状に構成されている。
【００２８】
この構成で、穀稈はフィードチェーン１６に挟持された状態で脱穀機１４に搬送され、扱胴３０の回転による衝撃作用、扱歯８１によるしごき作用、そしてクリンプ網３４によるもみほぐし作用等によって脱粒される。
【００２９】
脱穀機１４は、扱胴３０の終端部近傍に配置される送塵口処理胴３１を備えている。この送塵口処理胴３１は円筒状に形成され、その中心軸が扱胴３０の中心軸と平行となるように配置されている。また、図３及び図４に示すように、送塵口処理胴３１は、扱胴３０の終端部と送塵口処理胴３１の先端部がラップするようにして、扱胴３０の右側に配置される。
【００３０】
送塵口処理胴３１の外周には螺旋状の扱歯８２が備えられている。また、送塵口処理胴３１の下方には送塵口処理用クリンプ網９９が備えられる。この送塵口処理用クリンプ網９９は、送塵口処理胴３１の下部を覆うように円弧面状に形成されている。
【００３１】
この構成で、扱胴３０終端から送り出された籾、藁屑等は、送塵口処理胴３１によって処理されるとともに、送塵口処理用クリンプ網９９で粗選別される。粗選別後の籾や藁屑等は、後述する揺動選別装置３２に処理物として落下する。
【００３２】
脱穀機１４は、扱胴３０及び送塵口処理胴３１の下方に左右方向に横設される揺動選別装置３２を備えている。また、揺動選別装置３２の更に下方には風選別装置３３が配置される。この揺動選別装置３２と風選別装置３３によって、脱穀機１４における選別装置が構成されている。この構成で、脱穀された穀粒は、前記揺動選別装置３２及び風選別装置３３によって、精粒である一番物と、枝梗付き穀粒や穂切れ粒等である二番物とに選別される。
【００３３】
揺動選別装置３２について説明する。この揺動選別装置３２は、穀粒搬送方向の上流から下流に向かって順に、フィードパン３５と、チャフシーブ３６と、ストローラック３７と、を備えている。フィードパン３５は多量の穀粒が落下する場所に配置されており、後の選別を効率的に行うために、籾層を平均化する前処理を行う。チャフシーブ３６は、フィードパン３５から送られた穀粒と藁屑の粗選別を行うためのものであり、揺動選別装置３２の幅方向に横架された複数のチャフフィンを備えている。このチャフフィンの角度は変更可能に構成されており、この角度を調節することによって穀粒の漏下量を調節することができる。例えば、チャフシーブ３６上に堆積する籾層が厚い場合には、チャフシーブ３６の角度を大きくすることで籾の漏下量を増加させて処理能力を増大させる一方、堆積する籾層が薄い場合には、チャフシーブ３６の角度を小さくすることで籾の漏下量を制限して藁屑等の混入を防止することができる。ストローラック３７は、藁屑をほぐすとともに、藁屑中に存在する穀粒を、再選別のために後述の二番コンベア２４に落下させる。
【００３４】
次に風選別装置３３について説明する。この風選別装置３３は、唐箕ファン３８と、セカンドファン５５と、グレンシーブ３９と、を備えている。唐箕ファン３８はフィードパン３５の下方に配置されるとともに、揺動選別装置３２の幅方向に横設されている。セカンドファン５５は、唐箕ファン３８の後方に配置され、一番コンベア２３と二番コンベア２４の間に横設されている。グレンシーブ３９はチャフシーブ３６の下方に配置される。
【００３５】
一番コンベア２３は、樋状に形成される一番コンベア樋２６の上に配置されており、この一番コンベア樋２６に落下した籾を搬送するように構成されている。二番コンベア２４も同様に、樋状に形成されている二番コンベア樋２７上に配置されている。
【００３６】
以上の構成で、グレンシーブ３９より落下してくる籾、藁屑等に対して、唐箕ファン３８が生起する選別風が当てられる。そして、この選別風にかかわらず略垂直に落下する比重の重い物は一番コンベア樋２６へ送られるとともに、比重のやや軽い物は二番物として二番コンベア樋２７に飛ばされる。以上により、脱穀後の処理物を比重選別することができる。なお、選別装置の選別精度を上げるために、比重が若干軽い程度の物についても二番コンベア樋２７に落下するように選別風の強度等が調整されている。
【００３７】
セカンドファン５５は一番コンベア２３の後方に配置されており、唐箕ファン３８からの選別風が弱くなる下流側で補助風を生起し、藁屑等を確実に下流側へ吹き飛ばすように構成されている。また、前記一番コンベア樋２６の底部には流穀板２８が接続され、この流穀板２８はストローラック３７へ向かうように後上方へ延出している。この流穀板２８は前記セカンドファン５５の上方を覆うように配置され、当該流穀板２８の下面であって前記セカンドファン５５にほぼ対面する位置には風向板９１が固定されている。この風向板９１の詳細については後述する。図４に示すように、セカンドファン５５の軸部の右側端部は後述の二番処理装置４４に接続されている。
【００３８】
また、揺動選別装置３２の終端部には吸引ファン（図３及び図４において図略）が備えられ、この吸引ファンによって選別後の藁屑等が吸塵され機外に排出されるように構成されている。
【００３９】
かかる揺動選別装置３２と風選別装置３３との相互作用により、脱穀後の処理物は、穀稈が搬送されてくる機体前方側から後方側に向けて搬送され、一番物と二番物に選別される。
【００４０】
図４に示すように、前記一番コンベア２３の搬送方向下流側の端部は脱穀機１４の側壁９０から突出するとともに、この突出部分には揚穀筒１９が接続されている。この揚穀筒１９は上下方向に向けて配設されるとともに、その内部には、一番物を上方のグレンタンク１５に向けて運ぶための揚穀コンベア２１が設けられている。この構成で、前記選別装置によって選別されて図３の一番コンベア樋２６に落下した一番物は、一番コンベア２３によって図３の紙面手前側から奥側へ搬送される。そして一番物は、一番コンベア２３の終端部から揚穀コンベア２１に受け継がれ、前記グレンタンク１５まで搬送される。
【００４１】
また、図４に示すように、脱穀機１４の側壁９０の外側には還元筒２０が設置されている。この還元筒２０は上下方向に向けて配設されるとともに、その下端は、前記二番コンベア２４の搬送方向下流側の端部近傍に位置している。還元筒２０の内部には、二番物を上方へ運ぶための還元コンベア２２が設けられている。この還元コンベア２２は、揚穀コンベア２１とほぼ平行な向きとなるように配設されている。また、図３等に示すように、還元コンベア２２の中心軸線は、二番コンベア２４の中心軸線と直交している。
【００４２】
この構成で、前記選別装置によって選別されて二番コンベア２４に落下した二番物は、当該二番コンベア２４によって図３の紙面手前側から奥側へ搬送される。
【００４３】
二番物は、二番還元装置によって揺動選別装置３２に還元されて再び選別される。具体的には、二番コンベア樋２７に落下した二番物は二番コンベア２４によって搬送され、終端部に配置される連通路４１を介して二番処理装置４４に送られ、枝梗が処理される。その後、二番処理物は二番処理装置４４から還元コンベア２２へ送られ、更に上方へ搬送される。そして、還元コンベア２２の終端（上端部）に搬送された二番処理物は、放出装置５４によって揺動選別装置３２へ向けて放出される。なお、二番還元装置の詳細については後述する。
【００４４】
以上に示すように、コンバイン１０によって刈り取られた稲等から脱穀された穀粒は、選別装置によって一番物と二番物に選別される。そして選別された一番物は、一番コンベア２３及び揚穀コンベア２１を介してグレンタンク１５に集積される。グレンタンク１５内に貯溜された一番物は、前記排出オーガ５１を介して機外に排出される。一方、二番物は、二番コンベア２４、連通路４１、二番処理装置４４、還元コンベア２２及び放出装置５４を経由して前記揺動選別装置３２上に戻され、再び選別される。
【００４５】
次に図５を参照して脱穀機１４及び選別装置の駆動伝達構成について説明する。図５は、コンバイン１０の動力伝達構成を示すスケルトン図である。
【００４６】
図５に示すように、本実施形態のコンバイン１０が備えるエンジン１８の動力は、エンジン１８の出力軸６０から、クローラ部１１を駆動させる走行ミッション装置６１、脱穀機１４の各部、排出オーガ５１及び刈取部１２にそれぞれ分岐して伝達される。
【００４７】
エンジン１８の駆動力の一部は、動力の断接制御のための脱穀クラッチ７１を介して、唐箕ファン３８及び一番コンベア２３に伝達される。この駆動力は更に、セカンドファン５５、二番コンベア２４、揺動選別装置３２、吸引ファン４０、排藁カッター４８、及びフィードチェーン１６へ伝達される。
【００４８】
また、エンジン１８の駆動力の一部は、扱胴駆動軸４９を経由して扱胴３０及び送塵口処理胴３１に伝達される。扱胴３０に伝達された駆動力は、更に、排藁を前記排藁カッター４８へ搬送するための排藁搬送部７６へ伝達される。
【００４９】
前記一番コンベア２３の端部にはベベルギアを介して揚穀コンベア２１が連結されており、一番コンベア２３に伝達された駆動力によって揚穀コンベア２１が駆動されるようになっている。
【００５０】
セカンドファン５５の側壁９０側の軸端には二番処理装置４４が配置されている。二番処理装置４４の入力軸はセカンドファン５５の軸部に接続されており、これにより二番処理装置４４に駆動力が伝達される。
【００５１】
前記二番コンベア２４の端部には還元コンベア２２がベベルギアを介して連結されている。また、還元コンベア２２の端部には放出装置５４が、ベルト等からなる伝達部５９によって連結されている。これにより、二番コンベア２４に伝達された駆動力は、更に還元コンベア２２及び放出装置５４へ伝達される。
【００５２】
グレンタンク１５には、前記排出オーガ５１へ穀粒を搬送するための底コンベア６７及び縦コンベア６８を備えている。また、排出オーガ５１には排出コンベア６９が内蔵されている。エンジン１８の駆動力の一部はこれらのコンベアにも伝達され、それぞれのコンベアを駆動することができる。
【００５３】
次に本実施形態の二番還元装置の詳細について説明する。図６は、脱穀機内での二番物の搬送経路を示す平面図である。図７は、二番処理装置及び連通路の様子を示す断面図である。図８は、二番還元装置による還元の様子を示す平面図である。なお図６に鎖線で示す矢印は二番物の搬送経路を示し、図８において鎖線で示す矢印は処理後の二番物の放出方向を示す。
【００５４】
図３及び図４に示すように、本実施形態の二番還元装置は、二番コンベア２４と、この二番コンベア２４に連通路４１を介して接続される二番処理装置４４と、二番処理装置４４に接続する還元コンベア２２と、から構成される。そして、還元コンベア２２の搬送方向終端部には放出装置５４が接続されている。
【００５５】
二番コンベア２４は前述のように揺動選別装置３２の下方位置に横設されており、この二番コンベア２４は、落下してきた二番物を、軸部に備えるスクリュー羽根によって脱穀機の奥側（図３において紙面奥側、図４において上側）へ搬送する。そして、図６に示すように、二番コンベア２４の搬送終端部において、板状に形成される送穀羽根５６が軸部に備えられている。
【００５６】
また、図６に示すように二番コンベア２４の終端部近傍には連通路４１が備えられている。この連通路４１の一端は、二番コンベア樋２７の二番処理装置４４側（コンバイン１０の機体前方側）の壁部に開口を形成し、他端は二番処理装置４４に連通するように構成される。なお、前記送穀羽根５６は、前記連通路４１が二番コンベア樋２７に形成する開口（連通路４１の入口）に対面するように備えられる。
【００５７】
二番処理装置４４は、回転可能な二番処理胴４２と、この二番処理胴４２を収容する円筒形状の二番処理ハウジング４３と、を備えている。前記二番処理胴４２は、その中心軸がセカンドファン５５の軸部と同軸となるように配置され、セカンドファン５５の動力が二番処理胴４２の入力軸にカップリングを介して伝達されることで回転駆動される。また、二番処理ハウジング４３の内側面には制御弁８８が備えられており、この制御弁８８によって二番物が詰まることなく二番処理装置４４から還元筒２０へと搬送されるように構成されている。なおこの制御弁８８は角度を調節できるように構成されており、この角度を調節することで二番処理装置４４内の二番物の送り速度を変えることができる。
【００５８】
前記二番処理ハウジング４３は、脱穀機１４の一側の側壁９０に跨るように配置されている。二番処理ハウジング４３のうち脱穀機１４内に位置する部分には、前記連通路４１が接続されている。また、前述のとおり、セカンドファン５５の上方に備えられている流穀板２８の下面には風向板９１が取り付けられている。図６に示すように、この風向板９１はセカンドファン５５の右側端部近傍に複数配置されており、各風向板９１は、後方へ近づくに従って右側となるように傾斜している。この風向板９１によって、セカンドファン５５から送られる補助風の一部が右側（二番処理装置４４の後方）へと案内される。
【００５９】
即ち、本実施形態では前記二番処理装置４４がセカンドファン５５の端部に配置されている分だけ、セカンドファン５５の軸長が短くなっている。従って、平面視で前記二番処理装置４４のすぐ後方の位置にある処理物（送塵口処理胴３１から落下した処理物がこの位置に落下することが多い）に対しては、セカンドファン５５の風を直接当てることは困難である。しかしながら本実施形態では、前記風向板９１によってセカンドファン５５からの風向きを案内することにより、上記の位置にある処理物に対しても選別風を十分に作用させて選別することができる。
【００６０】
二番処理胴４２の外周には処理歯８４が突設される一方、前記二番処理ハウジング４３の内壁にはツースバー８５が備えられている。この構成で、二番処理胴４２が回転すると、前記処理歯８４と前記ツースバー８５とが籾と枝梗を分離させ、単粒化することができる。
【００６１】
ここで、例えば図３に示すように、前記セカンドファン５５の軸心（二番処理装置４４の軸心）は、二番コンベア２４の軸心より若干低く配置されている。また図７に示すように、前記二番処理装置４４において処理歯８４の先端が描く軌跡の径は、二番コンベア２４のスクリュー径よりも大きくなっている。従って、二番処理ハウジング４３の底部は二番コンベア２４の底部よりも低く位置し、連通路４１は二番処理装置４４側が低くなる傾斜状に構成されている。これにより、二番コンベア２４から二番処理装置４４への二番物の受け渡しが円滑に行われる。
【００６２】
図６に示すように、二番処理装置４４が脱穀機１４の外側に突出する部分において、二番処理胴４２の軸方向端部には平板状の送穀羽根５０が備えられる。二番処理装置４４による処理物は、この送穀羽根５０によって還元コンベア２２の始端部に送られる。
【００６３】
還元コンベア２２は図３に示すように、上方の放出装置５４へ向けて前記処理物を搬送可能に構成している。この放出装置５４は、図８に示すように、ハウジング５８と、ハウジング５８内で回転自在に支持される軸部８６と、この軸部８６に固定される跳出し羽根８７と、を備えている。前記軸部８６の上端部は、還元コンベア２２の上端部と、ベルトやギア等からなる伝達部５９を介して連結されている。
【００６４】
放出装置５４のハウジング５８は、脱穀機１４の一側の側壁９０に跨るように設けられている。また、このハウジング５８が脱穀機１４の内部空間に露出する部分には、放出口５７が形成されている。この放出口５７は揺動選別装置３２の前方（搬送方向上流側）を向いて開口しており、搬送されてきた二番処理物は、この放出口５７から放出される。
【００６５】
この構成で、二番物は二番コンベア２４の終端部から平面視で迂回するように二番処理装置４４を経由し、還元コンベア２２に搬送される。具体的に説明すると、前記二番コンベア樋２７に落下し、図６の鎖線で示すように二番コンベア２４によって搬送されてきた二番物は、送穀羽根５６によって脇の連通路４１へ押し出される。なお、連通路４１は前述したように下り斜面となっているので（図７を参照）、二番物は二番処理装置４４にスムーズに導入される。
【００６６】
二番処理装置４４に投入された二番物は枝梗が除去された後、図６等に示す送穀羽根５０によって還元コンベア２２の始端部へ受け継がれる。更に二番物は還元コンベア２２によって放出装置５４へと搬送され、図８に示すように、跳出し羽根の回転によって放出口５７から揺動選別装置３２の前方中央へと放出される。以上により二番処理物の還元が完了し、処理物は再び揺動選別装置３２及び風選別装置３３によって選別される。
【００６７】
以上に示すように、本実施形態のコンバイン１０が備える脱穀機１４は、選別装置の下方に配置される唐箕ファン３８と、唐箕ファン３８から選別装置の搬送方向下流側に行くに従って順に配置される一番コンベア２３と、セカンドファン５５と、二番コンベア２４と、を備える構成である。そして、この構成の脱穀機１４において、二番還元装置は、セカンドファン５５と同軸状に二番処理装置４４を備える。
【００６８】
この構成により、小さいスペースにセカンドファン５５及び二番処理装置４４をまとめて配置できるので、脱穀機１４の構成をコンパクトにすることができる。また、セカンドファン５５と二番処理装置４４の間で簡易な構成により駆動を伝達できる。更に、重量物である二番処理装置４４が脱穀機１４の下部に配置されることになるので、重心が安定し、コンバイン１０の機体バランスを向上させることができる。
【００６９】
また、本実施形態において、前記二番処理装置４４は、二番コンベア２４の終端部から二番物を受け入れるための連通路４１を備えている。
【００７０】
この構成により、二番コンベア２４の終端部から二番処理装置４４に二番物を受け渡す構成を簡素化できる。
【００７１】
また、本実施形態の二番還元装置は、二番処理装置４４で処理された処理物を選別装置へ還元するための還元コンベア２２を備える。
【００７２】
この構成により、二番処理装置４４で処理された処理物を選別装置まで確実に還元することができる。
【００７３】
また、前記還元コンベア２２は、図３や図４等に示すように、その中心軸線が二番コンベア２４の中心軸線と直交するように設けられている。
【００７４】
この構成により、二番コンベア２４の動力を図５に示すようにベベルギアを用いて還元コンベア２２へ伝達することで、還元コンベア２２を駆動できる。従って、還元コンベア２２の駆動のための構成を簡素化できる。
【００７５】
また、前記二番処理装置４４は、図４や図６に示すように、脱穀機１４の機枠側板（側壁９０）の内外に跨って設けられている。
【００７６】
このように二番処理装置４４の一部を機外に出るように配置することで、二番処理装置４４の枝梗処理能力を維持しながらセカンドファン５５の長さを確保し、十分な強度の補助風を生起させることができる。
【００７７】
以上に本発明の好適な実施形態を説明したが、上記の構成は更に以下のように変更することができる。
【００７８】
上記の実施形態では、跳出し羽根８７を備える放出装置５４によって揺動選別装置３２に処理物を還元する構成であるが、この構成に代えて、還元コンベア２２が上方の適宜位置まできたところで搬送方向を揺動選別装置３２の前方に向かうように還元コンベアを構成してもよい。
【００７９】
また、上記実施形態では、二番コンベア２４の終端部に送穀羽根５６を備える構成であるが、二番コンベア２４から二番処理装置４４に二番物を受け渡す構成は適宜変更することができる。例えば、二番コンベア樋２７の側面でなく底面に連通路４１の入口を開口し、送穀羽根５６を省略することができる。
【００８０】
二番処理装置４４をセカンドファン５５の動力伝達上流側に配置し、二番処理装置４４の駆動力をセカンドファン５５に伝達して当該セカンドファン５５を駆動する構成に変更することができる。また、還元コンベア２２を二番コンベア２４の動力伝達上流側に配置し、還元コンベア２２の駆動力を二番コンベア２４に伝達して当該二番コンベア２４を駆動する構成に変更することができる。
【図面の簡単な説明】
【００８１】
【図１】本発明の一実施形態に係るコンバインの側面図。
【図２】コンバインの平面図。
【図３】コンバインに備えられる脱穀機の構成を示す側面図。
【図４】脱穀機の平面図。
【図５】コンバインの動力伝達構成を示すスケルトン図。
【図６】脱穀機内での二番物の搬送経路を示す平面図。
【図７】二番処理装置及び連通路の様子を示す断面図。
【図８】二番還元装置による選別装置への還元の様子を示す平面図。
【符号の説明】
【００８２】
１０  コンバイン
１４  脱穀機
１６  フィードチェーン
１９  揚穀筒
２０  還元筒
２１  揚穀コンベア
２２  還元コンベア
２３  一番コンベア
２４  二番コンベア
３０  扱胴
３１  送塵口処理胴
３８  唐箕ファン
４１  連通路
４２  二番処理胴
４４  二番処理装置
５４  放出装置
５５  セカンドファン
【図１】
2009112274.tif 000003
【図２】
2009112274.tif 000004
【図３】
2009112274.tif 000005
【図４】
2009112274.tif 000006
【図５】
2009112274.tif 000007
【図６】
2009112274.tif 000008
【図７】
2009112274.tif 000009
【図８】
2009112274.tif 000010